(57)【要約】【課題】視覚障害者などの利用者が、特殊階を有する、階床の多い建物でも操作入力できるエレベーターの呼び登録装置を得る。【解決手段】複数の数字キー、アスタリスクキー、シャープキーから構成され、通常階は階床名に対応した数字キーが割り当てられ、特殊階は存在しない階床名に対応した数字キーが割り当てられたテンキー２と、操作音、音声の情報を格納する音声情報格納部９と、操作音を発音、音声を発声するスピーカ３と、数字キーに対応するキー情報から、階床情報及び前記階床名へ変換するための変換テーブルと、テンキーの各キーの操作に応じて音声情報格納部９から操作音、音声の情報を取り出してスピーカ３から操作音を発音、音声を発声させ、前記変換テーブルを参照して数字キーの操作に応じて入力したキー情報を階床情報へ変換しこの階床情報をエレベーター制御装置２０へ通知するマイコン５とを設けた。【選択図】図２
2005247547.tif 000002
【特許請求の範囲】
【請求項１】
少なくとも複数の数字キーから構成され、通常階は階床名に対応した前記数字キーが割り当てられ、特殊階は前記通常階の階床名として使用されていない階床名に対応した前記数字キーが割り当てられたテンキーと、
操作音及び音声の情報を格納する音声情報格納部と、
操作音を発音又は音声を発声するスピーカと、
前記数字キーに対応するキー情報から、呼び登録に使用される階床情報及び前記階床名へ変換するための変換テーブルと、
前記テンキーの各キーの操作に応じて前記音声情報格納部から操作音又は音声の情報を取り出して前記スピーカから操作音を発音又は音声を発声させ、前記変換テーブルを参照して前記数字キーの操作に応じて入力した前記キー情報を前記階床情報へ変換し前記階床情報をエレベーター制御装置へ通知するマイコンと
を備えたことを特徴とするエレベーターの呼び登録装置。
【請求項２】
前記テンキーは、前記複数の数字キーの他に、開始キー、及び終了キーから構成された
ことを特徴とする請求項１記載のエレベーターの呼び登録装置。
【請求項３】
前記開始キーとしてアスタリスクキー又はシャープキーが割り当てられ、
前記マイコンは、前記開始キーが操作されると、前記特殊階の操作方法を含む操作案内を前記スピーカから発声させる
ことを特徴とする請求項２記載のエレベーターの呼び登録装置。
【請求項４】
前記終了キーとしてシャープキー又はアスタリスクキーが割り当てられ、
前記マイコンは、前記終了キーが操作されると、前記変換テーブルを参照して前記数字キーの操作に応じて入力した前記キー情報を前記階床情報へ変換して行先階である呼びを登録するとともに、登録された行先階を前記スピーカから発声させる
ことを特徴とする請求項２又は３記載のエレベーターの呼び登録装置。
【請求項５】
前記テンキーの複数の数字キー、アスタリスクキー、及びシャープキーの配列は、電話機のキー配列と同じである
ことを特徴とする請求項４記載のエレベーターの呼び登録装置。
【請求項６】
操作案内表示情報を格納する表示情報格納部と、
前記操作案内表示情報を表示する表示器とをさらに備え、
前記マイコンは、前記テンキーの各キーの操作に応じて前記表示情報格納部から前記操作案内表示情報を取り出して前記操作案内表示情報を前記表示器に表示させる
ことを特徴とする請求項１から請求項５までのいずれかに記載のエレベーターの呼び登録装置。
【発明の詳細な説明】
【技術分野】
【０００１】
この発明は、数字キー等で構成されるテンキーを備えた呼び登録装置に発声機能をさらに備え、数字キーにより数字以外で表わされる地下階などを入力可能としたエレベーターの呼び登録装置に関するものである。
【背景技術】
【０００２】
従来のエレベーターの呼び登録装置では、テンキーを用いているが、地下階などの特殊階の入力には特殊キーを用いており、操作案内や行先階の音声告知については開示しておらず、視覚障害者への対策がなされていない（例えば、特許文献１、特許文献２、特許文献３、特許文献４参照）。
【０００３】
従来の別のエレベーターの呼び登録装置では、テンキーを用いており、音声案内、案内表示をするが、数字以外の特殊階の入力は、画面選択により行われ、視覚障害者への対策がなされていない（例えば、特許文献５参照）。
【０００４】
【特許文献１】特開平８−１１９５４３号公報（第１頁、図１）
【特許文献２】特開平８−１７５７７０号公報（第１頁、図１）
【特許文献３】特開２００１−２８７８７６号公報（第１頁、図１）
【特許文献４】特開２００３−２２１１７２号公報（第１頁、図１）
【特許文献５】特開平９−１１８４８４号公報（第１頁、図１）
【発明の開示】
【発明が解決しようとする課題】
【０００５】
上述したような従来のエレベーターの呼び登録装置では、視覚障害者などの目の不自由な利用者への対策がなされていないという問題点があった。
【０００６】
この発明は、上述のような課題を解決するためになされたもので、その目的は、視覚障害者などの目の不自由な利用者が、特殊階を有する、階床の多い建物でも安心して操作入力できるエレベーターの呼び登録装置を得るものである。
【課題を解決するための手段】
【０００７】
この発明に係るエレベーターの呼び登録装置は、少なくとも複数の数字キーから構成され、通常階は階床名に対応した前記数字キーが割り当てられ、特殊階は前記通常階の階床名として使用されていない階床名に対応した前記数字キーが割り当てられたテンキーと、操作音及び音声の情報を格納する音声情報格納部と、操作音を発音又は音声を発声するスピーカと、前記数字キーに対応するキー情報から、呼び登録に使用される階床情報及び前記階床名へ変換するための変換テーブルと、前記テンキーの各キーの操作に応じて前記音声情報格納部から操作音又は音声の情報を取り出して前記スピーカから操作音を発音又は音声を発声させ、前記変換テーブルを参照して前記数字キーの操作に応じて入力した前記キー情報を前記階床情報へ変換し前記階床情報をエレベーター制御装置へ通知するマイコンとを設けたものである。
【発明の効果】
【０００８】
この発明に係るエレベーターの呼び登録装置は、視覚障害者などの目の不自由な利用者が、特殊階を有する、階床の多い建物でも安心して操作入力でき、また、健常者においても、スピーカからの操作音や操作案内で操作が確認できるため、操作性が向上する、という効果を奏する。
【発明を実施するための最良の形態】
【０００９】
実施の形態１．
この発明の実施の形態１に係るエレベーターの呼び登録装置について図１から図４までを参照しながら説明する。図１は、この発明の実施の形態１に係るエレベーターの呼び登録装置の正面を示す図である。また、図２は、この発明の実施の形態１に係るエレベーターの呼び登録装置を含むエレベーターシステムの構成を示す図である。なお、各図中、同一符号は同一又は相当部分を示す。
【００１０】
図１において、エレベーターの呼び登録装置１には、正面に、利用者の操作を入力するテンキー２と、音声を発声したり操作音を発音したりするスピーカ３が設けられている。このテンキー２は、数字キー「１」〜「９」、「０」、開始キー「＊（アスタリスク）」、及び終了キー「＃（シャープ）」から構成され、各キーの配列は携帯電話などの電話機のキー配列と同じである。
【００１１】
図２において、呼び登録装置１は、ビルの各階の乗場やかご内に設置される。各呼び登録装置１は、それぞれがエレベーター制御装置２０と通信路１０で接続される。呼び登録装置１は、利用者がテンキー２を操作することにより、操作に対応する階床情報を、通信路１０を介してエレベーター制御装置２０に通知する。エレベーター制御装置２０は、通知された階床情報により呼び登録を行い、かごの配車を行う。
【００１２】
呼び登録装置１は、上述したテンキー２とスピーカ３の他に、テンキー２を制御するキー制御部４と、スピーカ３を制御する音声制御部８と、音声や操作音の情報を格納する音声情報格納部９と、通信路１０を制御する通信部７と、これらキー制御部４、通信部７、音声制御部８、音声情報格納部９を制御するマイコン５と、マイコン５のプログラム格納用および作業用のメモリ６とを備える。このメモリ６には、図３に示す、階床名、キー割当、及び階床情報がそれぞれ対応している変換テーブルが記憶されている。また、音声情報格納部９には、例えば、「ピッ」、「ブー」、「行先階の数字を押してください。地下階のＢ１は数字の９と１を押してください。地下階のＢ２は数字の９と２を押してください。地下階のＢ３は数字の９と３を押してください。屋上階のＲｌは数字の８と１を押してください。屋上階のＲ２は数字の８と２を押してください。〜」、「初めにアスタリスク（＊）を押してください。」、「最初からやり直してください」や、階床名に対応した「○○階を登録しますか？」、「○○階を登録します」などの音声及び操作音の情報を格納している。
【００１３】
なお、プログラム格納用および作業用のメモリ６と音声情報格納部９は、ハードディスクドライブや不揮発性メモリや随時書込み保持動作の必要なメモリなどどんな記憶装置や記憶素子でも構わないし、そのいくつかを同じ記憶装置や記憶素子として構成しても、またマイコン５に内蔵しても構わない。更に、キー制御部４や通信部７や音声制御部８をマイコン５に内蔵しても構わない。
【００１４】
マイコン５は、プログラム格納用のメモリ６に格納されたプログラムに基づき作業用のメモリ６を使用しながら動作する。マイコン５は、音声情報格納部９から発声・発音する情報を取り出し、音声制御部８に送ることで、スピーカ３から発声・発音する。利用者は、テンキー２を操作し、キー制御部４は、操作された各キーのキー情報をマイコン５に送る。マイコン５は、操作されたキーから利用者が選択した階床が何かを判定して階床情報に変換し、通信部７から通信路１０を通じてエレベーター制御装置２０に通知する。
【００１５】
図３は、この発明の実施の形態１に係るエレベーターの呼び登録装置における、階床名に対応するキー割当（数字キーに対応するキー情報）から、呼び登録に使用される階床情報に変換したり、キー割当から階床名に変換したりする変換テーブルの一例を示す図である。この図３は、地上５７階建てのビルの例で、地下３階、屋上２階を有する。地上階である通常階は階床名（１階〜５７階）に対応した数字キー（１〜５７）が割り当てられ、屋上階及び地下階である特殊階は存在しない（通常階の階床名として使用されていない）階床名（８１階〜８２階、９１階〜９３階）に対応した数字キー（８１〜８２、９１〜９３）が割り当てられている。
【００１６】
すなわち、地下階のＢ１、Ｂ２、Ｂ３は、それぞれテンキー２の数字キー「９」「１」、「９」「２」、「９」「３」が割り当てられている。また、屋上階のＲｌ、Ｒ２は、それぞれテンキー２の数字キー「８」「１」、「８」「２」が割り当てられている。さらに、その時点でエレベーターを停止させない非サービス階と設定された５６階は、キー割当が無しとなり、存在しない階と設定される。但し、非サービス階の設定が解除され登録可能になると、キー割当が数字キー「５」「６」となる。なお、地下階のＢ１、Ｂ２、Ｂ３は、２桁以上の例えば３桁の数字キー１０１〜１０３が割り当てられ、屋上階のＲｌ、Ｒ２は、２桁以上の例えば３桁の数字キー１１１、１１２が割り当てられてもよい。
【００１７】
つぎに、この実施の形態１に係るエレベーターの呼び登録装置の動作について図面を参照しながら説明する。図４は、この発明の実施の形態１に係るエレベーターの呼び登録装置の動作を示すフローチャートである。
【００１８】
まず、ステップ１０１において、呼び登録装置１のマイコン５は、キー操作の待ち受け状態となる（開始操作入力）。すなわち、テンキー２の開始キー「＊」のキー操作の待ち受け状態となる。
【００１９】
次に、ステップ１０２〜１０４において、マイコン５は、キー入力があると押されたキーを判定し（開始判定）、そのキーが開始キー「＊」であれば、音声制御部８を介してスピーカ３から正常入力音、例えば「ピッ」と発音するか、あるいは操作案内、例えば「行先階の数字を押してください。地下階のＢ１は数字の９と１を押してください。地下階のＢ２は数字の９と２を押してください。地下階のＢ３は数字の９と３を押してください。屋上階のＲｌは数字の８と１を押してください。屋上階のＲ２は数字の８と２を押してください。〜」を発声する（正常開始発声）。開始キー以外であれば、音声制御部８を介してスピーカ３から不正入力音、例えば「ブー」と発音するか、あるいは正しい操作を促す操作案内、例えば、「初めにアスタリスク（＊）を押してください。」を発声し（不正開始発声）、ステップ１０１の開始操作入力に戻る。
【００２０】
次に、ステップ１０５において、マイコン５は、正常開始発声の後、再びキー操作の待ち受け状態となる（操作入力）。すなわち、テンキー２の所定の数字キー「０」〜「９」、あるいは終了キー「＃」のキー操作の待ち受け状態となる。
【００２１】
次に、ステップ１０６〜１０７において、マイコン５は、テンキー２の所定の数字キー「０」〜「９」、開始キー「＊」、あるいは終了キー「＃」が押されたかどうかを判断する。存在する階に相当するキーが入力され、それで一意に階が確定される場合には、確定入力として、「○○階を登録しますか？」と発声し（確定発声）、操作入力待ちとなる。例えば、１桁の階でその１桁の数字で始まる複数桁の階が無いときや、複数桁の１桁目が入力され同じ上位の桁（１桁目）の階がひとつしか存在しないときや、更に桁の多い複数階が存在するが入力がなされず一定時間以上経過したときが、該当する。例えば、数字キー「７」が押されると、変換テーブルを参照して階床名「７」を取り出し、音声情報格納部９から階床名に対応する、発声する情報として「７階を登録しますか？」を取り出し、「７階を登録しますか？」とスピーカ３から発声し、操作入力待ちとなる。
【００２２】
次に、ステップ１０８において、マイコン５は、終了キー「＃」が押された時に既に存在する階を特定できる入力がされていた場合、または、場合によっては、確定発声の後に一定時間以上経過しても入力が無い場合でも、正常に登録されたことを、「○○階を登録します」と発声する（終了発声）。例えば、「７階を登録します」と発声する。また、変換テーブルを参照して、キー情報（キー割当）を階床情報に変換し、通信部７から通信路１０を通じてエレベーター制御装置２０に通知し、呼びを登録する。例えば、キー情報が「７」の場合には、階床情報として「１０」に変換する。
【００２３】
ステップ１０９において、マイコン５は、存在する階に相当するキーが入力されたが、継続した入力がないと一意に階が確定されない場合には、継続入力として、正常入力音、例えば「ピッ」を発音するか、押されたキーの数字を発音して（正常入力発声）、操作入力待ちとなる。例えば、その数字で始まる複数桁の階がある場合などが、該当する。例えば、数字キー「２」が押されると、「２」と発音して、操作入力待ちとなる。
【００２４】
ステップ１０５〜１０６において、マイコン５は、更に開始キー「＊」が押されると、ステップ１０３の正常開始発声に戻る。
【００２５】
ステップ１１０において、マイコン５は、存在しない階に相当するキーが入力されるか、次の入力が一定時間以内に無くその時点の入力では階を特定できない場合や、数字キーが押されないまま終了キー「＃」が押されるか、そこまでの桁では存在しない階になるのに終了キー「＃」が押された場合には、不正な入力として、不正入力音、例えば「ブー」を発音するか、不正入力操作案内、例えば、「最初からやり直してください」を発声し（不正入力発声）、ステップ１０１へ戻り開始操作入力待ちとなる。
【００２６】
視覚障害者などの目の不自由な利用者に、地下階などを有する、階床の多い建物でも安心して操作入力できるエレベーターの呼び登録装置を提供できる。また、健常者においても、スピーカ３からの操作音や操作案内で操作が確認でき、操作性が向上する。
【００２７】
エレベーターの呼び登録装置の入力は、類似の経験を重ねることにより、操作性が格段に向上する。テンキー２は、電話機のキーの並びと同じなので、ほとんどすべての利用者が経験済であり、操作性がよい。入力の開始の起原となる開始キー「＊」を設けたので、先に利用していた利用者が、入力途中で利用をやめた場合にも、開始キー「＊」を押すことで、新たに正常に入力を開始することが可能である。この開始キー「＊」を押すことが、衆知となれば、特殊な操作を必要とする場合にも、この開始キー「＊」を押すことにより、操作案内が発声され、特殊な操作にも利用者が対応できるようになる。
【００２８】
また、入力の終了となる終了キー「＃」を設けたので、早く操作したい場合に、入力したキーにより、エレベーターの呼び登録装置が次のキー入力を待つ時間が満了して入力が終了したと判断するまで待つ必要が無くなり、操作性を向上することができる。なお、「＊」を終了キー、「＃」を開始キーに割り当ててもよい。
【００２９】
実施の形態２．
この発明の実施の形態２に係るエレベーターの呼び登録装置について図５から図７までを参照しながら説明する。図５は、この発明の実施の形態２に係るエレベーターの呼び登録装置の正面を示す図である。また、図６は、この発明の実施の形態２に係るエレベーターの呼び登録装置を含むエレベーターシステムの構成を示す図である。なお、各図中、同一符号は同一又は相当部分を示す。
【００３０】
図５において、このエレベーターの呼び登録装置１Ａには、上記実施の形態１の呼び登録装置１に、操作案内表示情報を表示する表示器１１が正面に追加して設けられている。
【００３１】
図６において、このエレベーターの呼び登録装置１Ａは、上記実施の形態１の呼び登録装置１に、表示器１１を制御する表示制御部１２と、操作案内表示情報を格納する表示情報格納部１３とを追加して備える。マイコン５は、表示制御部１２と、表示情報格納部１３も制御する。表示情報格納部１３には、例えば、「ピッ」、「ブー」、「行先階の数字を押してください。地下階のＢ１は数字の９と１を押してください。地下階のＢ２は数字の９と２を押してください。地下階のＢ３は数字の９と３を押してください。屋上階のＲｌは数字の８と１を押してください。屋上階のＲ２は数字の８と２を押してください。〜」、「初めにアスタリスク（＊）を押してください。」、「最初からやり直してください」や、階床名に対応した「○○階を登録しますか？」、「○○階を登録します」などの操作案内表示情報を格納している。
【００３２】
なお、プログラム格納用および作業用のメモリ６と表示情報格納部１３は、ハードディスクドライブや不揮発性メモリや随時書込み保持動作の必要なメモリなどどんな記憶装置や記憶素子でも構わないし、そのいくつかを同じ記憶装置や記憶素子として構成しても、またマイコン５に内蔵しても構わない。更に、表示制御部１２をマイコン５に内蔵しても構わない。
【００３３】
つぎに、この実施の形態２に係るエレベーターの呼び登録装置の動作について図面を参照しながら説明する。図７は、この発明の実施の形態２に係るエレベーターの呼び登録装置の動作を示すフローチャートである。なお、この実施の形態２では、スピーカ３及び表示器１１の動作は同時に行われるが、スピーカ３の動作は上記実施の形態１と同じなので図示と説明を省略する。
【００３４】
まず、ステップ２０１において、呼び登録装置１Ａのマイコン５は、キー操作の待ち受け状態となる（開始操作入力）。すなわち、テンキー２の開始キー「＊」のキー操作の待ち受け状態となる。
【００３５】
次に、ステップ２０２〜２０４において、マイコン５は、キー入力があると押されたキーを判定し（開始判定）、そのキーが開始キー「＊」であれば、表示制御部１２を介して表示器１１により正常入力音、例えば「ピッ」を表示するか、あるいは操作案内、例えば「行先階の数字を押してください。地下階のＢ１は数字の９と１を押してください。地下階のＢ２は数字の９と２を押してください。地下階のＢ３は数字の９と３を押してください。屋上階のＲｌは数字の８と１を押してください。屋上階のＲ２は数字の８と２を押してください。〜」を表示する（正常開始表示）。開始キー以外であれば、表示制御部１２を介して表示器１１により不正入力音、例えば「ブー」を表示するか、あるいは正しい操作を促す操作案内、例えば、「初めにアスタリスク（＊）を押してください。」を表示し（不正開始表示）、ステップ２０１の開始操作入力に戻る。
【００３６】
次に、ステップ２０５において、マイコン５は、正常開始表示の後、再びキー操作の待ち受け状態となる（操作入力）。すなわち、テンキー２の所定の数字キー「０」〜「９」、あるいは終了キー「＃」のキー操作の待ち受け状態となる。
【００３７】
次に、ステップ２０６〜２０７において、マイコン５は、テンキー２の所定の数字キー「０」〜「９」、開始キー「＊」、あるいは終了キー「＃」が押されたかどうかを判断する。存在する階に相当するキーが入力され、それで一意に階が確定される場合には、確定入力として、「○○階を登録しますか？」と表示し（確定表示）、操作入力待ちとなる。例えば、１桁の階でその１桁の数字で始まる複数桁の階が無いときや、複数桁の１桁目が入力され同じ上位の桁（１桁目）の階がひとつしか存在しないときや、更に桁の多い複数階が存在するが入力がなされず一定時間以上経過したときが、該当する。例えば、数字キー「７」が押されると、変換テーブルを参照して階床名「７」を取り出し、表示情報格納部１３から階床名に対応する、表示する情報として「７階を登録しますか？」を取り出し、「７階を登録しますか？」と表示器１１に表示し、操作入力待ちとなる。
【００３８】
次に、ステップ２０８において、マイコン５は、終了キー「＃」が押された時に既に存在する階を特定できる入力がされていた場合、または、場合によっては、確定表示の後に一定時間以上経過しても入力が無い場合でも、正常に登録されたことを、「○○階を登録します」と表示する（終了表示）。例えば、「７階を登録します」と表示する。また、変換テーブルを参照して、キー情報（キー割当）を階床情報に変換し、通信部７から通信路１０を通じてエレベーター制御装置２０に通知し、呼びを登録する。例えば、キー情報が「７」の場合には、階床情報として「１０」に変換する。
【００３９】
ステップ２０９において、マイコン５は、存在する階に相当するキーが入力されたが、継続した入力がないと一意に階が確定されない場合には、継続入力として、正常入力音、例えば「ピッ」を表示するか、押されたキーの数字を表示して（正常入力表示）、操作入力待ちとなる。例えば、その数字で始まる複数桁の階がある場合などが、該当する。例えば、数字キー「２」が押されると、「２」と表示して、操作入力待ちとなる。
【００４０】
ステップ２０５〜２０６において、マイコン５は、更に開始キー「＊」が押されると、ステップ２０３の正常開始表示に戻る。
【００４１】
ステップ２１０において、マイコン５は、存在しない階に相当するキーが入力されるか、次の入力が一定時間以内に無くその時点の入力では階を特定できない場合や、数字キーが押されないまま終了キー「＃」が押されるか、そこまでの桁では存在しない階になるのに終了キー「＃」が押された場合には、不正な入力として、不正入力音、例えば「ブー」を表示するか、不正入力操作案内、例えば、「最初からやり直してください」を表示し（不正入力表示）、ステップ２０１へ戻り開始操作入力待ちとなる。
【００４２】
この実施の形態２では、スピーカ３から、例えば「行先階の数字を押してください。〜」と発声するとともに、表示器１１により、同じ操作案内の「行先階の数字を押してください。〜」を表示するが、スピーカ３の動作を停止したり、スピーカ３を削除したりしてもよい。スピーカ３を削除する場合には、音声制御部８と、音声情報格納部９も削除してよい。
【００４３】
上記実施の形態１の効果に加えて、聴覚障害者などの耳の不自由な利用者に、地下階などを有する、階床の多い建物でも安心して操作入力できるエレベーターの呼び登録装置を提供できる。また、健常者においても、スピーカ３からの操作音や操作案内で操作が確認できるとともに、表示器１１の操作案内で操作が確認でき、一層操作性が向上する。
【００４４】
エレベーターの呼び登録装置の入力は、類似の経験を重ねることにより、操作性が格段に向上する。テンキー２は、電話機のキーの並びと同じなので、ほとんどすべての利用者が経験済であり、操作性がよい。入力の開始の起原となる開始キー「＊」を設けたので、先に利用していた利用者が、入力途中で利用をやめた場合にも、開始キー「＊」を押すことで、新たに正常に入力を開始することが可能である。この開始キー「＊」を押すことが、衆知となれば、特殊な操作を必要とする場合にも、この開始キー「＊」を押すことにより、操作案内が表示され、特殊な操作にも利用者が対応できるようになる。
【００４５】
また、入力の終了となる終了キー「＃」を設けたので、早く操作したい場合に、入力したキーにより、エレベーターの呼び登録装置が次のキー入力を待つ時間が満了して入力が終了したと判断するまで待つ必要が無くなり、操作性を向上することができる。なお、「＊」を終了キー、「＃」を開始キーに割り当ててもよい。
【図面の簡単な説明】
【００４６】
【図１】この発明の実施の形態１に係るエレベーターの呼び登録装置の正面を示す図である。
【図２】この発明の実施の形態１に係るエレベーターの呼び登録装置を含むエレベーターシステムの構成を示す図である。
【図３】この発明の実施の形態１に係るエレベーターの呼び登録装置における、階床名に対応するキー割当から階床情報に変換したり、キー割当から階床名に変換したりする変換テーブルの一例を示す図である。
【図４】この発明の実施の形態１に係るエレベーターの呼び登録装置の動作を示すフローチャートである。
【図５】この発明の実施の形態２に係るエレベーターの呼び登録装置の正面を示す図である。
【図６】この発明の実施の形態２に係るエレベーターの呼び登録装置を含むエレベーターシステムの構成を示す図である。
【図７】この発明の実施の形態２に係るエレベーターの呼び登録装置の動作を示すフローチャートである。
【符号の説明】
【００４７】
１、１Ａ  呼び登録装置、２  テンキー、３  スピーカ、４  キー制御部、５  マイコン、６  メモリ、７  通信部、８  音声制御部、９  音声情報格納部、１０  通信路、１１  表示器、１２  表示制御部、１３  表示情報格納部、２０  エレベーター制御装置。
【図１】
2005247547.tif 000003
【図２】
2005247547.tif 000004
【図３】
2005247547.tif 000005
【図４】
2005247547.tif 000006
【図５】
2005247547.tif 000007
【図６】
2005247547.tif 000008
【図７】
2005247547.tif 000009